(57)【要約】【課題】防水性を高めた防水型カメラを提供する。【解決手段】防水型デジタルカメラでは、筐体４０に形成された開口部を開閉する開閉蓋としての電池蓋３２を、支軸４７を中心に回動開閉自在となし、筐体４０と電池蓋３２との隙間にＯリング４３を挿入することにより、電池蓋３２を防水構造とする。すなわち、電池蓋３２の回動中心部に、長手方向が電池蓋３２の回動半径方向に平行な長穴４８を形成し、該長穴４８に支軸４７を挿入するとともに、該支軸４７を、筐体４０の適所に位置を固定して設けた支持部材で支持することにより、電池蓋３２を長穴４８の長手方向に所定量調整移動させた状態で筐体４０開口部を閉鎖しうるように構成する。電池蓋３２は、メモリカード挿入用のカードスロット部３０と、各種電池を装填するための電池室３１とを覆う開閉蓋である。【選択図】        図３
2004157240.tif 000002
【特許請求の範囲】
【請求項１】
筐体開口部の開閉蓋を支軸を中心に回動開閉自在となし、筐体と開閉蓋との隙間にリング状パッキンを挿入することにより開閉蓋を防水構造とした防水型カメラであって、
前記開閉蓋は、その回動半径方向に所定量調整移動させた状態で筐体開口部を閉鎖しうるようにしたことを特徴とする防水型カメラ。
【請求項２】
前記開閉蓋の回動中心部に、長手方向が該開閉蓋の回動半径方向に平行な長穴を形成し、
該長穴に前記支軸を挿入するとともに、該支軸を筐体の適所に位置を固定して設けることにより、
前記開閉蓋を前記長穴の長手方向に所定量調整移動させた状態で筐体開口部を閉鎖しうるようにしたことを特徴とする請求項１に記載の防水型カメラ。
【請求項３】
前記支軸を開閉蓋の回動中心部に設け、
筐体の適所に長手方向が開閉蓋の回動半径方向に平行な長穴を形成し、
該長穴に開閉蓋の支軸を挿入して該支軸の位置を固定することにより、
前記開閉蓋を前記長穴の長手方向に所定量調整移動させた状態で筐体開口部を閉鎖しうるようにしたことを特徴とする請求項１に記載の防水型カメラ。
【請求項４】
開閉蓋の回動中心部に貫通孔を形成し、
筐体の適所に軸体を位置を固定して設け、
前記軸体にレバーの長手方向中央部を係止し、
該レバーの一端部に軸受を設けるとともに、筐体に形成された凹部に前記レバーの他端部を、該他端部と前記凹部との間に適宜寸法の隙間を形成した状態で挿入して、前記レバーが前記軸体を支点として揺動できるように構成し、
開閉蓋に形成された前記貫通孔に前記支軸を挿入して前記軸受で支持し、
前記レバーの揺動操作により、開閉蓋をその回動半径方向に所定量調整移動させた状態で筐体開口部を閉鎖しうるようにしたことを特徴とする請求項１に記載の防水型カメラ。
【請求項５】
開閉蓋の回動中心部に形成された貫通孔は、長手方向が開閉蓋の回動半径方向に平行な長穴であることを特徴とする請求項４に記載の防水型カメラ。
【請求項６】
開閉蓋にアンダーカット溝を環状に形成し、
該アンダーカット溝にリング状パッキンを挿入し、
筐体には、直径が該筐体の内側から外側に向かって増大する押圧斜面を環状に形成し、
開閉蓋により筐体開口部を閉鎖したときに、リング状パッキンが押圧斜面と、アンダーカット溝の内面とで加圧されることにより、開閉蓋が防水構造となることを特徴とする請求項１〜５のいずれかに記載の防水型カメラ。
【請求項７】
当該防水型カメラは防水型デジタルカメラであり、
前記開閉蓋は、メモリカード挿入用のカードスロット部と、各種電池を装填するための電池室とを覆う電池蓋であることを特徴とする請求項１〜６のいずれかに記載の防水型カメラ。
【請求項８】
当該防水型カメラは防水型デジタルカメラであり、
前記開閉蓋は、筐体に内蔵された外部出力端子を覆う端子蓋であることを特徴とする請求項１〜６のいずれかに記載の防水型カメラ。
【発明の詳細な説明】
【０００１】
【発明の属する技術分野】
本発明は防水型カメラに関し、詳しくは、カメラの筐体開口部を開閉する開閉蓋の取付け構造（防水構造）関するものである。
【０００２】
【従来の技術】
近年、雨天下や水中で使用するために防水機能を備えたカメラ、すなわち防水型カメラが開発され、広く使用されている。その一例としての防水型デジタルカメラは、小型化され携帯に便利であり、また撮影した画像データをパソコンに転送して各種のデータ処理を行って得られる画像データをプリンタで印刷画像としたり、ディスプレイに表示させたり、ユーザが利用しやすいファイルとして格納したりすることができるので、屋内・屋外を問わず様々な環境下で、また各種の分野に広く利用されている。
【０００３】
防水型デジタルカメラの構造に関しては、たとえば以下の（１），（２）に示すような提案がなされている。
（１）カメラ外周を形成するカバーを２体に分割、開閉可能とし、この分割部のパッキンをラジアル方向にチャージさせる防水型カメラにおいて、パッキン取り付け側カバーのパッキン取り付け部であるアンダーカット部を一体で形成するためのパーティングを、カバー開口部の短辺側であるヒンジ側と開閉爪側とに設定することで、部品点数を増やすことなくパッキンチャージ力を管理可能としたもの（特許文献１参照）。
（２）メモリカードや電池など複数のアクセサリが収納される収納部を、一つの防水蓋で閉鎖するように構成することで、防水機能を要するスペースを減らし、部品点数を削減するようにしたもの（特許文献２参照）。
【０００４】
しかしながら、上記（１），（２）の構造では、カバー開閉蓋の回動中心部であるヒンジ部（支軸部）に製作誤差がある場合、これに起因する上記ヒンジ部の位置ずれや変形が発生する結果、パッキンチャージ力（パッキンによるシール機能）が不均一となり、充分な防水機能が得られなくなる可能性がある。
【０００５】
特開２００１−１３５６８号公報
【特許文献２】
特開２００１−２１９７９号公報
【０００６】
【発明が解決しようとする課題】
したがって本発明の目的は、防水性を高めた防水型カメラを提供することにあり、防水型カメラにおいて、筐体開口部を開閉する開閉蓋の取付け構造を改良することにより、上記開閉蓋の回動開閉中心部である支軸部等の製作精度をそれほど高度に管理することなく確実に、パッキンによる開閉蓋の防水性を向上させることにある。
【０００７】
【課題を解決するための手段】
請求項１に係る発明は、筐体開口部の開閉蓋を支軸を中心に回動開閉自在となし、筐体と開閉蓋との隙間にリング状パッキンを挿入することにより開閉蓋を防水構造とした防水型カメラであって、前記開閉蓋は、その回動半径方向に所定量調整移動させた状態で筐体開口部を閉鎖しうるようにしたことを特徴とする防水型カメラである。
【０００８】
請求項２に係る発明は、前記開閉蓋の回動中心部に、長手方向が該開閉蓋の回動半径方向に平行な長穴を形成し、該長穴に前記支軸を挿入するとともに、該支軸を筐体の適所に位置を固定して設けることにより、前記開閉蓋を前記長穴の長手方向に所定量調整移動させた状態で筐体開口部を閉鎖しうるようにしたことを特徴とする請求項１に記載の防水型カメラである。
【０００９】
請求項３に係る発明は、前記支軸を開閉蓋の回動中心部に設け、筐体の適所に長手方向が開閉蓋の回動半径方向に平行な長穴を形成し、該長穴に開閉蓋の支軸を挿入して該支軸の位置を固定することにより、前記開閉蓋を前記長穴の長手方向に所定量調整移動させた状態で筐体開口部を閉鎖しうるようにしたことを特徴とする請求項１に記載の防水型カメラである。
【００１０】
請求項４に係る発明は、前記開閉蓋の回動中心部に貫通孔を形成し、筐体の適所に軸体を位置を固定して設け、前記軸体にレバーの長手方向中央部を係止し、該レバーの一端部に軸受を設けるとともに、筐体に形成された凹部に前記レバーの他端部を、該他端部と前記凹部との間に適宜寸法の隙間を形成した状態で挿入して、前記レバーが前記軸体を支点として揺動できるように構成し、開閉蓋に形成された前記貫通孔に前記支軸を挿入して前記軸受で支持し、前記レバーの揺動操作により、開閉蓋をその回動半径方向に所定量調整移動させた状態で筐体開口部を閉鎖しうるようにしたことを特徴とする請求項１に記載の防水型カメラである。
【００１１】
請求項５に係る発明において、前記開閉蓋の回動中心部に形成された貫通孔は、長手方向が開閉蓋の回動半径方向に平行な長穴であることを特徴とする請求項４に記載の防水型カメラである。
【００１２】
請求項６に係る発明は、開閉蓋にアンダーカット溝を環状に形成し、該アンダーカット溝にリング状パッキンを挿入し、筐体には、直径が該筐体の内側から外側に向かって増大する押圧斜面を環状に形成し、開閉蓋により筐体開口部を閉鎖したときに、リング状パッキンが押圧斜面と、アンダーカット溝の内面とで加圧されることにより、開閉蓋が防水構造となることを特徴とする請求項１〜５のいずれかに記載の防水型カメラである。
【００１３】
請求項７に係る発明は、当該防水型カメラが防水型デジタルカメラであり、前記開閉蓋は、メモリカード挿入用のカードスロット部と、各種電池を装填するための電池室とを覆う電池蓋であることを特徴とする請求項１〜６のいずれかに記載の防水型カメラである。
【００１４】
請求項８に係る発明は、当該防水型カメラが防水型デジタルカメラであり、前記開閉蓋は、筐体に内蔵された外部出力端子を覆う端子蓋であることを特徴とする請求項１〜６のいずれかに記載の防水型カメラである。
【００１５】
【発明の実施の形態】
以下、本発明の実施の形態を、図面を参照しながら説明する。
第１の実施の形態（請求項２，６，７に係るもの）
図１は防水型デジタルカメラの外観を示す正面側斜視図、図２はその背面側斜視図である。図３はこの防水型デジタルカメラの要部構造を示す平面断面図であって、電池室に円柱型電池が装填されているときのものである。
【００１６】
この防水型デジタルカメラ１００は、図３に示すように、筐体（外装カバー）４０に形成された開口部を開閉する開閉蓋としての電池蓋３２を、支軸４７を中心に回動開閉自在となし、筐体４０と電池蓋３２との隙間に、リング状パッキンであるＯリング４３を挿入することにより、電池蓋３２を防水構造としたものである。そして、この防水型デジタルカメラ１００では、電池蓋３２の回動中心部に、長手方向が電池蓋３２の回動半径方向に平行な長穴４８を形成し、該長穴４８に支軸４７を挿入するとともに、該支軸４７を筐体４０の適所に位置を固定して設けることにより、電池蓋３２を長穴４８の長手方向に所定量調整移動させた状態で筐体４０の開口部を閉鎖しうるように構成されている。
【００１７】
また、この防水型デジタルカメラ１００では、電池蓋３２にアンダーカット溝４５を環状に形成し、該アンダーカット溝４５に上記Ｏリング４３を挿入し、筐体４０には、直径がこの筐体４０の内側から外側に向かって増大する押圧斜面４４を環状に形成し、電池蓋３２により筐体４０の開口部を閉鎖したときに、Ｏリング４３が上記押圧斜面４４と、上記アンダーカット溝４５の内面とで加圧されることにより、電池蓋３２が防水構造となるように構成されている。
【００１８】
上記のように長穴４８は、長手方向が電池蓋３２の回動半径方向と平行になるように形成されている。電池蓋３２の回動による開閉操作を行う場合において、電池蓋３２上の任意の一点は円の一部である円弧を描くが、上記「電池蓋３２の回動半径方向」とは、この円の半径に沿う方向を意味する。
【００１９】
以下、この防水型デジタルカメラ１００の構造について更に詳細に説明する。カメラ本体１を、おおむね直方体状の筐体４０の内外に種々の部品を設けることにより構成する。筐体４０の右側面（図１では左側面）に操作用の右手グリップ部２と、ほぼ長方形の電池蓋３２とを設ける。この電池蓋３２は、メモリカード３３を挿入セットするためのカードスロット部３０と、各種電池を装填するための電池室３１（図３参照）とを覆う開閉蓋である。カードスロット部３０には、撮影データが記録されるメモリカード３３が挿脱自在に挿入され、電池室３１には例えば、両端面に電極部３５を備えた円柱型電池（乾電池）３４が着脱自在に装填セットされる。
【００２０】
筐体４０の前面には、ほぼ中央に撮影レンズ３と、この撮影レンズ３の上方にユーザが目視で被写領域を確認するための光学ファインダ５と、低照度撮影時に補助光を発光するストロボ６とを設ける。筐体４０の上面には、各種の撮影モードを選択するための回転型モードダイヤル７と、この回転型モードダイヤル７の中心位置に電源のＯＮ・ＯＦＦを行うための電源スイッチ８と、回転型モードダイヤル７の右側にシャツタボタン９と、左側に外部ストロボ取り付け用のアクセサリシュー１０とを設ける。筐体４０の左側面（図１では右側面）には、この筐体４０に内蔵された外部出力端子（図略）を覆う防水型の端子蓋１１を設ける。筐体４０の背面では、ほぼ中央に撮影画像や撮影モードの表示を行うＬＣＤモニタ２１と、このＬＣＤモニタ２１の上方にファインダ接眼部２２および各種設定の表示を行うファインダＬＥＤ窓２３とを設ける。さらに筐体１の背面では、右側にズームボタン２４と、各種のモードスイッチ２５とを設ける。
【００２１】
つぎに、上記電池蓋３２の取り付け構造を、図３をもとに説明する。筐体４０では、電池蓋３２（これの詳細構造については、以下に説明する。）の取り付け開口部の内周面に、直径がこの筐体４０の内側から外側に向かって漸増する押圧斜面４４を、おおむね四角環状に形成する。図２において筐体４０の右側面の左側端部に図略の支持部材を、位置を固定して設ける。図２において電池蓋３２の左端部（図３では下端部）に形成した長穴４８に断面円形の支軸（ヒンジ軸）４７を挿通し、この支軸４７を上記支持部材に固定する。この支持部材としては、たとえば円筒状の軸受が使用できる。
【００２２】
電池蓋３２では、蓋本体３２ａの外面側に円柱状の開閉ダイヤル３７と、蓋本体３２ａの内面側にロックレバー３８および導通部材３６とを設ける。そして、この電池蓋３２を、上記支軸４７を中心に回動自在、かつ図２、図３において矢印Ａの方向に所定量移動自在とする。
【００２３】
これを更に具体的に説明すると、電池蓋３２では蓋本体３２ａの外周面に、おおむね四角環状の溝である、パッキン挿入用のアンダーカット溝４５を形成する。蓋本体３２ａのほぼ中央部に、段差付きの円形貫通孔３２ｂを形成する。外周面に沿って段差が形成された円柱状のダイヤル本体３７ａを、上記円形貫通孔３２ｂに挿入する。この場合、円形貫通孔３２ｂの上記段差と、ダイヤル本体３７ａの上記段差とで形成される円環状空間に、防水用のパッキンとして、たとえば熱可塑性プラスチックからなり、全体形状が円形のＯリング４２を挿入する。
【００２４】
ついで、ダイヤル本体３７ａの背面に板状のロックレバー３８を、ネジ３７ｂで固着することにより、上記開閉ダイヤル３７を構成する。この開閉ダイヤル３７は、蓋本体３２ａに対し正逆回転自在とするとともに、この正逆回転によりロックレバー３８の先端部３９が、筐体４０の電池蓋取付開口部の内面４１に対し係脱しうるようにする。さらに、内面側に電池接片３６ａを設けた金属製の板バネである導通部材３６を、ロックレバー３８の内側かつ、蓋本体３２ａの内面側に設ける。この導通部材３６は、下端部を蓋本体３２ａの内面に固着し、電池室３１に電池が装填されていない自由状態では、上部側である自由端側がロックレバー３８から多少離れているように設ける。
【００２５】
蓋本体３２ａの上記アンダーカット溝４５に、電池蓋３２を防水構造とするためのパッキンとして、たとえば熱可塑性プラスチックからなり、全体形状がほぼ長方形のＯリング４３を挿入セットする。このＯリング４３は、上記のようにアンダーカット溝４５に挿入係止されているから、電池蓋３２の開閉動作時にこのアンダーカット溝４５から外れることはない。
【００２６】
さらに、図３において蓋本体３２ａを筐体４０の下方側に延長した延長部（この延長部は、図２では筐体４０の右側面の左端部側に延長されている。）に長穴４８を形成する。この長穴４８は、長手方向を電池蓋３２の回動半径方向に平行に形成する。この長穴４８に上記支軸４７を挿入するとともに該支軸４７を、筐体４０に設けられた上記支持部材に係止して、電池蓋３２をこの支軸４７を中心に回動自在とする。このようにして、上記長穴４８と支軸４７とにより、支軸部４６を構成する。この支軸部４６では、長穴４８により支軸４７の上下に所定寸法の隙間が形成されるため、電池蓋３２を長穴４８の長手方向に（図３の矢印Ａの方向）所定量移動させることができる。
【００２７】
つぎに、両端面に電極部３５を備えた円柱型電池（乾電池）３４を、この防水型デジタルカメラ１００の電池室３１に交換装填する場合の動作を説明する。図３の状態において、開閉ダイヤル３７を摘んで開方向に回転することにより、ロックレバー３８の先端部３９と、筐体４０の内面４１との係合を解除する。ついで、開閉ダイヤル３７を手前に引いて電池蓋３２を支軸４７を中心に回動させることにより電池室３１を解放状態にし、電池室３１内の使用済電池３４を取り出して新しい円柱型電池３４を挿入する。
【００２８】
電池蓋３２を、支持軸４７を中心に上記と逆向きに回動させることにより、電池室３１を閉鎖状態とし、ついで開閉ダイヤル３７を閉じ方向に回転する。これにより、電池接片３６ａが導通部材３６のバネ力により電池３４の電極部３５に圧接導通するとともに、ロックレバー３８の先端部３９が、筐体４０の内面４１に係合し、電池蓋３２が筐体４０の開口部をロック状態で閉鎖する。この電池蓋３２閉鎖動作においては、アンダーカット溝４５内に挿入セットされたＯリング４３が、押圧斜面４４に押圧され圧縮変形することで防水機能を発揮する。また、蓋本体３２ａと開閉ダイヤル３７間に挿入されたＯリング４２は、これらの部材間で、蓋本体３２ａの板厚方向に圧縮変形することで防水機能を発揮する。さらに、上記電池蓋３２の閉鎖操作においては、必要に応じ、電池蓋３２を上記Ａ方向（長穴４８の長手方向）に適宜量移動させることで、的確な防水状態が得られるように電池蓋３２を閉じることができる。
【００２９】
このように、本実施の形態では電池蓋３２および、筐体４０への電池蓋３２取り付け構造、つまり回動開閉構造に多少の製作誤差、たとえば電池蓋３２の開閉回動中心である支軸部４６に多少の製作誤差があったり、変形が生じたりしても、電池蓋３２を矢印Ａ方向に適宜量移動させた状態で電池蓋３２を閉鎖することにより、上記製作誤差や上記変形を吸収することができ、Ｏリング４３の防水機能を有効に発揮させることができ、均一・的確な防水効果を得ることができる。また、電池蓋３２をその回動半径方向に所定量調整移動させて閉鎖するときに、Ｏリング４３が押圧斜面４４端部の角部に乗り上がる不具合を防止することができる。さらに、上記開閉ダイヤル３７では、上記のように、全体形状が円形のＯリング４２を上記円環状空間に挿入することで常時、高い防水機能を維持することができる。
【００３０】
以上は、電池蓋３２の取り付け構造についてのものであるが、端子蓋１１の取り付け構造もこれと同様に構成することで、優れた防水機能が得られる。すなわち、本発明の開閉蓋取り付け構造の対象は電池蓋３２や端子蓋１１に限られるものではなく、筐体の内外に通じる種々の開口部を開閉する蓋体に広く適用できるものである。
【００３１】
また、この第１の実施の形態を改変したものとして、以下のものが挙げられる（請求項３）。すなわち。この防水型デジタルカメラでは、支軸４７を電池蓋３２の回動中心部に設け、長穴４８を筐体４０の適所に、かつ長手方向が電池蓋３２の回動半径方向に平行になるように形成し、この長穴４８に上記支軸４７を挿入して該支軸４７の位置を固定することにより、電池蓋３２を長穴４８の長手方向に所定量調整移動させた状態で筐体４０の開口部を閉鎖しうるように構成する。
【００３２】
第２の実施の形態（請求項４〜７に係るもの）
図４は防水型デジタルカメラの要部構造を示す平面断面図であって、電池室に円柱型電池が装填されているときのものである。この防水型デジタルカメラでは、筐体４０の適所に固定軸５２を設け（軸体を、位置を固定して設ける）、この固定軸５２に揺動レバー５３の長手方向中央部を係止する。そして、このレバー５３の一方の端部に形成した凸片５４を、筐体４０に形成された凹部５５に、これらレバー５３と凹部５５との間に適宜寸法の隙間を形成した状態で挿入することにより、レバー５３を固定軸５２を中心に揺動自在とする。また、電池蓋３２の回動中心部に形成された貫通孔に支軸５１を挿入し、この支軸５１を上記揺動レバー５３の他方の端部に連結する。このように構成することで、レバー５３の揺動操作により、電池蓋３２をその回動半径方向に所定量調整移動させた状態で筐体４０の開口部を閉鎖することができる。
【００３３】
より具体的に説明すると、図４において蓋本体３２ａを筐体４０の下方側に延長した延長部（この延長部は、図２に相当する斜視図では筐体４０の右側面の左端部側に形成されている。）に、長穴４８（または円孔：図略）を形成する。この長穴４８は、長手方向が電池蓋３２の回動半径方向と平行になるように形成する。また電池接片３６には、電池室３１の内部に向かう凸部３６ｂを設ける。
【００３４】
図４において筐体４０の右下部（この右下部は、図２に相当する斜視図では、筐体４０背面の右端部に該当する。）に、軸５２を固定して設ける。また筐体４０では、軸５２から適宜距離を隔てた部位に凹部（溝）５５を形成する。一側に図略の軸受と、他側に凸片５４とを設けたレバー５３の長手方向中央部を上記固定軸５２に係止するとともに、上記凸片５４を上記凹部５５に挿入することにより、レバー５３を固定軸５２を支点として揺動できるようにする。この場合、凸片５４と凹部５５との間に適宜寸法の隙間を形成する。そして、蓋本体３２ａに形成された長穴４８に断面円形の支軸（ヒンジ軸）５１を挿通し、この支軸５１を、レバー５３に設けた上記軸受に固定することで、電池蓋３２をこの支軸５１を中心に回動自在とする。このように、長穴４８と支軸５１とにより支軸部５６を構成する。その他の部分の構造は、上記第１の実施の形態と同様とする。
【００３５】
上記電池蓋３２の閉鎖操作においては、必要に応じレバー５３を、軸５２を支点として適宜量だけ揺動させ、電池蓋３２を図４のＡ方向に適宜量移動させることで、的確な防水状態が得られるように電池蓋３２を閉じることができる。この場合、上記移動の最大幅は、凸片５４と凹部５５との間に形成された隙間の寸法により決まる。また、揺動レバー５３に加えて長穴４８を形成したので、上記Ａ方向への電池蓋３２の移動動作をより円滑、かつ的確に行うことができる。このように本実施の形態によれば、上記第１の実施の形態と同等以上の優れた防水機能が得られる。なお、上記長穴４８に替えて円孔を形成した場合にも、上記第１の実施の形態と同程度に優れた防水機能が得られる。
【００３６】
また、電池接片３６に上記凸部３６ｂを設けたため、電池室３１に円柱型電池３４を装填したときに、該電池３４の端面を凸部３６ｂが電池室３１の内部側に押圧するので、電池３４の他側の電極部（図略）を相手側の導通部材に的確に接触させることができ、電池の装填・導通操作がより確実なものとなる。
【００３７】
なお、上記第１、第２の実施の形態に係る防水型デジタルカメラを改変し、電池蓋３２が閉鎖されロック状態になったことを検出できる構成要素を付加するとともに、このロック状態にある場合においてのみ、このカメラの電源がＯＮできるように構成することで、水漏れ事故の発生を防止したり、誤ってメモリカード３３を抜き取ることに起因して記録内容を破壊するトラブルを防止したりすることができる。
【００３８】
【発明の効果】
以上の説明で明らかなように、本発明によれば下記の効果が得られる。
（１）請求項１〜６の発明に係る防水型カメラでは、開閉蓋を、その回動半径方向に所定量調整移動させた状態で筐体開口部を閉鎖しうるように構成したので、開閉蓋および、筐体への開閉蓋の取り付け構造に多少の製作誤差があったり、変形が生じたりしても、リング状パッキンの防水機能を有効に発揮させることができ、均一・的確な防水効果を得ることができる。
（２）とくに請求項２の発明では、開閉蓋の回動中心部に、長手方向が開閉蓋の回動半径方向に平行な長穴を形成し、該長穴に支軸を挿入するとともに、該支軸を筐体の適所に位置を固定して設けた構成としたので、充分な防水効果が得られるのに加えて、開閉蓋の取り付け構造が簡単になるという効果がある。
（３）また、とくに請求項６の発明では、開閉蓋に形成された環状のアンダーカット溝にリング状パッキンを挿入し、筐体には、直径が筐体の内側から外側に向かって増大する押圧斜面を環状に形成したので、充分な防水効果が得られるのに加えて、開閉蓋をその回動半径方向に所定量調整移動させて開閉蓋を閉鎖するときに、リング状パッキンが押圧斜面端部の角部に乗り上がる不具合を防止することができるという効果がある。
（４）請求項７の発明に係る防水型デジタルカメラでは、電池蓋について均一・的確な防水効果が得られ、請求項８の発明に係る防水型デジタルカメラでは、端子蓋について均一・的確な防水効果が得られる。
【図面の簡単な説明】
【図１】本発明の第１の実施の形態に係る防水型デジタルカメラの外観を示す正面側斜視図である。
【図２】図１の防水型デジタルカメラの背面側斜視図である。
【図３】図１の防水型デジタルカメラの要部構造を示す平面断面図であって、電池室に円柱型電池が装填されているときのものである。
【図４】本発明の第２の実施の形態に係る防水型デジタルカメラの要部構造を示す平面断面図であって、電池室に円柱型電池が装填されているときのものである。
【符号の説明】
１…カメラ本体
２…右手グリップ部
３…撮影レンズ
５…光学ファインダ
６…ストロボ
７…回転型モードダイヤル
８…電源スイッチ
９…シャツタボタン
１０…アクセサリシュー
１１…端子蓋
２１…ＬＣＤモニタ
２２…ファインダ接眼部
２３…ファインダＬＥＤ窓
２４…ズームボタン
２５…モードスイッチ
３０…カードスロット部
３１…電池室
３２…電池蓋
３２ａ…蓋本体
３２ｂ…円形貫通孔
３３…メモリカード
３４…円柱型電池（乾電池）
３５…電極部
３６…導通部材
３６ａ…電池接片
３６ｂ…凸部
３７…開閉ダイヤル
３７ａ…ダイヤル本体
３７ｂ…ネジ
３８…ロックレバー
３９…先端部
４０…筐体（外装カバー）
４１…内面
４２…Ｏリング
４３…Ｏリング
４４…押圧斜面
４５…アンダーカット溝（環状溝）
４６…支軸部
４７…支軸
４８…長穴
５１…支軸
５２…固定軸
５３…揺動レバー
５４…凸片
５５…凹部（溝）
５６…支軸部
１００…防水型デジタルカメラ
Ａ…電池蓋の移動方向
【図１】
2004157240.tif 000003
【図２】
2004157240.tif 000004
【図３】
2004157240.tif 000005
【図４】
2004157240.tif 000006